(57)【特許請求の範囲】
【請求項１】
生物反応槽内部における活性汚泥の生物反応処理によって汚水の浄化処理を行うに際し、生物反応槽内部の活性汚泥濃度を制御する装置であって、
任意の時期における活性汚泥濃度の目標値を任意の値に入力可能であって、その時期及び目標値をスケジュール管理するスケジュール管理手段と、
上記スケジュール管理手段の出力を受け、その管理されているスケジュールに従って生物反応槽内の活性汚泥濃度を制御する汚泥濃度制御手段とを備えており、
上記スケジュール管理手段は、複数の時期のそれぞれにおける活性汚泥濃度の目標値が入力可能である一方、
上記汚泥濃度制御手段は、これら目標値が設定された各時期の間の中間期において活性汚泥濃度を徐々に変化させていくように、この中間期の活性汚泥濃度の目標値を自動演算する構成とされていることを特徴とする汚泥濃度制御装置。
【請求項２】
請求項１記載の汚泥濃度制御装置において、
汚泥濃度制御手段によって自動演算された中間期の活性汚泥濃度の目標値を、この目標値以外の任意の値に変更可能な目標値変更手段を備えていることを特徴とする汚泥濃度制御装置。
【請求項３】
上記請求項１または２に記載の汚泥濃度制御装置によって生物反応槽の内部の汚泥濃度が制御され、この汚泥濃度が制御された活性汚泥によって生物反応槽内部において生物反応処理を行うように構成されていることを特徴とする汚水処理システム。
【発明の詳細な説明】
【０００１】
【発明の属する技術分野】
本発明は、生物反応槽内での生物反応処理によって汚水を浄化処理する汚水処理システムに適用され、この生物反応槽内の活性汚泥濃度（ＭＬＳＳ：Mixed liquor suspended solids）を制御するための汚泥濃度制御装置及びその汚泥濃度制御装置を備えた汚水処理システムに係る。特に、本発明は、活性汚泥濃度の最適化を図るための対策に関する。
【０００２】
【従来の技術】
従来より、汚水や排水を処理するシステムとして、特開平７−１８５５８６号公報に開示されている汚水処理システムが知られている。この種の汚水処理システムは、生物反応槽を備え、この生物反応槽内部において、活性汚泥による生物反応処理によって原水（汚水）を浄化し、この処理水を汚泥と共に沈殿槽へ流出する。そして、この沈殿槽の内部において汚泥を沈殿させることによって処理水と汚泥とを分離する。この分離によって上澄み水となった処理水をシステムから排出する一方、沈殿槽内に沈殿した汚泥を引き抜いて上記生物反応槽へ返送するようになっている。
【０００３】
この種のシステムにおいて生物反応槽内での生物反応処理を効率良く行うためには、この生物反応槽内の汚水量と活性汚泥濃度とのバランスを適切に維持することが重要である。
【０００４】
本出願の出願人は、この点に鑑みた汚水処理システムとして、生物反応槽内の活性汚泥濃度を測定し、この測定された実際の活性汚泥濃度と濃度目標値との差を演算して、沈殿槽からの余剰汚泥の引き抜き量を制御することについて提案している（特開平９−１９２６８６号公報参照）。つまり、年間を通じて活性汚泥濃度を一定の目標値に維持することを可能にして、生物反応槽内での生物反応処理が効率良く行えるようにしたものである。
【０００５】
【発明が解決しようとする課題】
上述の如く活性汚泥濃度を一定の目標値に維持することが可能な汚水処理システムに対し、本発明の発明者は、更なる改良について試みた。つまり、単に活性汚泥濃度を一定の目標値に維持するのではなく、環境条件やシステムの使用状況に応じて最適な活性汚泥濃度を得ることができるようにすることについて考察を行った。
【０００６】
そして、本発明の発明者は、生物反応槽内の汚水量と活性汚泥濃度とのバランスを適切に維持するためには活性汚泥（微生物）の活性の高さを十分に考慮する必要があることを見出した。つまり、例えば夏期のように水温が高い状況と、冬期のように水温が低い状況とを比較した場合、夏期は活性汚泥の活性は比較的高くなっているのに対し、冬期は活性汚泥の活性は比較的低くなっている。つまり、この両者では、活性汚泥濃度が同一であっても汚水に対する処理能力は異なっている。そして、この活性汚泥の処理能力の変動が原因で、生物反応槽内の汚水量と活性汚泥濃度とのバランスが良好に確保されていない場合には以下のような不具合が生じてしまう。
【０００７】
即ち、活性汚泥の活性が比較的高い状況において、それに見合うだけの汚水量が生物反応槽内に存在しない場合には、活性汚泥の栄養不足による自己消化の発生や、スカム（微生物の死骸）の発生などによって処理水質の悪化が懸念される。逆に、活性汚泥の活性が比較的低い状況において、その処理能力を超えた量の汚水量が生物反応槽内に存在する場合（生物負荷が大きい場合）には、汚水の処理が十分に行えず、この場合にも処理水質の悪化が懸念される。このように、単に、活性汚泥濃度を一定の目標値に維持するだけでは、生物反応槽内での生物反応処理を効率良く行うことができないことを本発明の発明者は見出し本発明に至ったのである。
【０００８】
また、このような不具合は、上述した季節の変化ばかりでなく、例えば観光地などに適用される汚水処理システムにおいてオンシーズンとオフシーズンとで汚水流入量が大きく変化する場合や、システムの使用状況の変化（例えば生物反応槽を複数備えたシステムにおいて使用する生物反応槽の個数の変化）などによっても生じることがある。つまり、これらの変化によって活性汚泥の濃度と生物反応槽内の汚水量とのバランスが良好に確保されていない場合にも同様の不具合が生じてしまう。
【０００９】
本発明は、かかる点に鑑みてなされたものであり、その目的とするところは、活性汚泥の活性の高さなどを考慮して生物反応槽内の汚水量と活性汚泥濃度とのバランスを適切に維持し、これによって生物反応槽内での生物反応処理を更に効率良く行えるようにすることにある。
【００１０】
【課題を解決するための手段】
−発明の概要−
上記の目的を達成するために、本発明は、生物反応槽内の活性汚泥濃度を一定に維持するのではなく、環境条件やシステム使用状況に応じて活性汚泥濃度の目標値を変化させ、これによって常に最適な活性汚泥濃度が得られるようにしている。
【００１３】
−解決手段−
具体的には、生物反応槽内部における活性汚泥の生物反応処理によって汚水の浄化処理を行うに際し、生物反応槽内部の活性汚泥濃度を制御する装置を対象とする。この汚泥濃度制御装置に対し、スケジュール管理手段及び汚泥濃度制御手段を備えさせる。スケジュール管理手段は、任意の時期における活性汚泥濃度の目標値を任意の値に入力可能であって、その時期及び目標値をスケジュール管理するものである。汚泥濃度制御手段は、スケジュール管理手段の出力を受け、その管理されているスケジュールに従って生物反応槽内の活性汚泥濃度を制御するものである。更に、上記スケジュール管理手段に対して、複数の時期のそれぞれにおける活性汚泥濃度の目標値を入力可能とする。そして、汚泥濃度制御手段が、これら目標値が設定された各時期の間の中間期において活性汚泥濃度を徐々に変化させていくように、この中間期の活性汚泥濃度の目標値を自動演算する構成としている。
【００１４】
この特定事項により、システム管理者などによって入力された任意の時期における任意の活性汚泥濃度の目標値に従って、生物反応槽内の活性汚泥濃度が制御されることになる。例えば、観光地などに適用される汚水処理システムにおいてオンシーズンに活性汚泥濃度の目標値を高く設定する一方、オフシーズンに活性汚泥濃度の目標値を低く設定する。これによれば、活性汚泥の活性が変化しても汚水処理システムの使用状況に応じた適切な活性汚泥濃度が得られ、生物反応槽内での生物反応処理を効率良く行うことができる。例えば、冬期にオンシーズンを迎える観光地にあっては、この冬期に活性汚泥濃度の目標値を高く設定する。これにより、水温の低下に伴って活性汚泥の活性が低い状況であっても活性汚泥濃度が高く設定されることによって汚水処理能力は高く維持され、生物反応処理が効率良く行われることになる。また、生物反応槽を複数備えたシステムにおいて使用する生物反応槽の個数の変化などに応じて活性汚泥濃度の目標値を適切に設定することも可能である。具体的には、使用する生物反応槽の個数を増加させる場合には、その増加前に活性汚泥濃度の目標値を高く設定しておく。これにより、一つの生物反応槽内の活性汚泥を分割することで、使用する生物反応槽の個数を増加させたとしても、個々の生物反応槽における活性汚泥濃度が十分に確保できる。逆に、使用する生物反応槽の個数を減少させる場合には、その減少前に個々の生物反応槽における活性汚泥濃度の目標値を低く設定しておく。これにより、複数の生物反応槽内の活性汚泥を混合することで、使用する生物反応槽の個数を減少させたとしても、生物反応槽における活性汚泥濃度が高くなり過ぎることはない。
【００１６】
また、中間期における活性汚泥濃度を徐々に変化させていくようにしているので、生物反応槽の内部環境を急変させることなしに、入力された各時期の活性汚泥濃度の目標値を達成することができる。生物反応槽の内部環境が急変した場合、一時的に活性汚泥の汚水処理能力が低下する可能性があるが、本解決手段によれば、活性汚泥の処理能力を安定的に発揮させながら最適な活性汚泥濃度による汚水処理を行わせることができる。
【００１７】
また、汚泥濃度制御手段によって自動演算された中間期の活性汚泥濃度の目標値を、この目標値以外の任意の値に変更可能な目標値変更手段を備えさせている。これによれば、一旦設定されたスケジュールをシステム管理者などの要求に応じて途中で変更することが可能となり、汚泥濃度制御装置の利便性の向上を図ることができる。
【００１９】
更に、上述の各手段から成る汚泥濃度制御装置によって生物反応槽の内部の汚泥濃度が制御され、この汚泥濃度が制御された活性汚泥によって生物反応槽内部において生物反応処理を行うように構成された汚水処理システムも本発明の技術的思想の範疇である。
【００２０】
【発明の実施の形態】
次に、本発明の実施の形態を図面に基づいて説明する。本形態では、連続流入間欠曝気法により汚水処理を行う汚水処理システムに本発明を適用した場合について説明する。本発明はこれに限らず、回分式活性汚泥法やオキシデーションディッチ法などの汚水処理を行う汚水処理システムにも適用可能である。
【００２１】
図１は、本実施形態に係る汚水処理システムの概略構成を示す図である。この図に示すように、本汚水処理システムは、原水槽１、流量調整槽２、生物反応槽３、沈殿槽４、消毒槽５、汚泥濃縮槽６及び汚泥貯留槽７を備えている。
【００２２】
上記原水槽１は、導入された原水（汚水）から砂を分離するための沈砂槽１１及びこの沈砂槽１１において砂が分離除去された後の原水が導入される原水ポンプ槽１２を備えている。上記沈砂槽１１には原水を原水ポンプ槽１２へ供給する第１原水ポンプ１３が、原水ポンプ槽１２には原水を流量調整槽２へ供給する第２原水ポンプ１４がそれぞれ備えられている。
【００２３】
流量調整槽２の内部には、この流量調整槽２内を撹拌するための撹拌ポンプ２１及びこの流量調整槽２から生物反応槽３へ向けて原水を供給するための流量調整ポンプ２２が備えられている。
【００２４】
生物反応槽３は、内部に曝気撹拌装置３１を備えた槽であって、活性汚泥による生物反応処理によって原水が浄化され、この処理水が汚泥と共に沈殿槽４へ流出されるようになっている。また、この生物反応槽３の内部または外部には活性汚泥濃度を測定するための濃度センサ３２が設けられている。この濃度センサ３２は、生物反応槽３内に設置した図示しないストレーナから吸い込んだサンプリング液より汚泥濃度を測定するものであって、その測定信号を後述するコントローラ９に送信するようになっている。
【００２５】
沈殿槽４は、その内部において汚泥が沈殿し、これによって処理水と汚泥とを分離するものである。この分離によって上澄み水となった処理水は、消毒槽５へ供給され、この消毒槽５内で塩素消毒器などによって消毒されて排出されるようになっている。一方、沈殿槽４内に沈殿した汚泥の一部は、返送汚泥ポンプ８によって沈殿槽４から引き抜かれて上記生物反応槽３へ返送されるようになっている。この沈殿槽４と生物反応槽３とを連結する返送通路８１の途中には返送汚泥バルブ８１ａが設けられており、このバルブ８１ａの開閉動作を制御することによって生物反応槽３への汚泥の返送量を調整できるようになっている。
【００２６】
また、上記返送汚泥ポンプ８の下流側より分岐した分岐通路８２によって、返送用汚泥を生物反応槽３へ返送することなく汚泥濃縮槽６へ溜めることができるように構成されている。この分岐通路８２の途中には余剰汚泥バルブ８２ａが設けられており、このバルブ８２ａの開閉制御によって沈殿槽４からの汚泥引き抜き量を調整できるようになっている。
【００２７】
また、汚泥濃縮槽６は、更に汚泥と上澄み水とを分離するものであって、この分離の後、沈殿した濃縮汚泥は、汚泥引抜ポンプ６１によって汚泥貯留槽７へ送り出され、上澄み水となった脱離液は、通路６２によって原水ポンプ槽１２へ戻されるようになっている。この通路６２には脱離液返送バルブ６２ａが設けられている。
【００２８】
更に、上記生物反応槽３の底部と汚泥濃縮槽６とは、汚泥引抜通路３３によって接続されている。この汚泥引抜通路３３には、生物反応槽３内に沈殿した汚泥を引き抜くための汚泥引抜ポンプ３４及び引抜調整バルブ３５が設けられている。この引抜調整バルブ３５の開閉制御によって生物反応槽３からの汚泥引き抜き量を調整できるようになっている。
【００２９】
本汚水処理システムは、各バルブ６２ａ，８１ａ，８２ａ，３５の開閉制御やポンプ１３，１４，２１，２２，８，３４の駆動制御などを行うためのコントローラ９を備えている。このコントローラ９の特徴としては、上記生物反応槽３内の活性汚泥の濃度を制御するための汚泥濃度制御手段９１及び年間を通じて活性汚泥濃度の目標値をスケジュール管理するスケジュール管理手段９２を備えていることにある。以下、この汚泥濃度制御手段９１及びスケジュール管理手段９２による生物反応槽３内の活性汚泥濃度の制御動作について説明する。
【００３０】
上記汚泥濃度制御手段９１は、生物反応槽３内の活性汚泥の活性が高くなる状況であるほど、活性汚泥濃度の目標値を低く設定するようになっている。逆に言えば、生物反応槽３内の活性汚泥の活性が低くなる状況であるほど、活性汚泥濃度の目標値を高く設定するようになっている。
【００３１】
具体的には、本システムの管理者が予め設定した活性汚泥濃度の設定値に応じて年間を通じて生物反応槽３内の活性汚泥濃度を制御するようになっている。この活性汚泥濃度の具体的な調整動作としては、上記返送汚泥ポンプ８、返送汚泥バルブ８１ａ及び余剰汚泥バルブ８２ａの制御を行う。つまり、生物反応槽３内の活性汚泥濃度を低下させる場合には、返送汚泥ポンプ８を駆動すると共に、返送汚泥バルブ８１ａを閉鎖し且つ余剰汚泥バルブ８２ａを開放する。これにより、生物反応槽３内の活性汚泥が沈殿槽４を経て汚泥濃縮槽６に引き抜かれ、これによって生物反応槽３内の活性汚泥濃度が低下することになる。逆に、生物反応槽３内の活性汚泥濃度を上昇させる場合には、余剰汚泥バルブ８２ａの閉鎖状態を維持する。これにより、生物反応槽３内では活性汚泥が自然繁殖し、これによって生物反応槽３内の活性汚泥濃度が徐々に上昇することになる。
【００３２】
また、この活性汚泥濃度を調整するための他の動作としては、上記汚泥引抜ポンプ３４、引抜量調整バルブ３５の制御を行う。つまり、生物反応槽３内の活性汚泥濃度を低下させる場合には、汚泥引抜ポンプ３４を駆動すると共に、引抜量調整バルブ３５を開放する。これにより、生物反応槽３内に沈殿している活性汚泥が汚泥濃縮槽６に引き抜かれ、これによって生物反応槽３内の活性汚泥濃度が低下することになる。逆に、生物反応槽３内の活性汚泥濃度を上昇させる場合には、汚泥引抜ポンプ３４を停止させると共に引抜量調整バルブ３５の閉鎖状態を維持する。これにより、生物反応槽３内では活性汚泥が自然繁殖し、これによって生物反応槽３内の活性汚泥濃度が徐々に上昇することになる。
【００３３】
これら活性汚泥濃度を調整するための動作は、一方のみを行ってもよいし、両方を同時に行うようにしてもよい。
【００３４】
以下、本システムを使用した活性汚泥濃度の年間スケジュール設定動作について具体的に説明する。先ず、上記コントローラ９にパーソナルコンピュータ（以下、パソコンと略称する）等の入力装置を接続し、このパソコンの操作によって年間スケジュール、つまり、任意の月に対して任意の活性汚泥濃度の目標値を入力する。この入力された値はスケジュール管理手段９２によって管理され、このスケジュール管理手段９２が１年間を通じて各月における活性汚泥濃度の目標値を自動演算する。
【００３５】
本形態のものでは、１月〜１２月のうち、活性汚泥濃度の目標値を最も高くしたい月とその月の活性汚泥濃度目標値を入力すると共に、活性汚泥濃度の目標値を最も低くしたい月とその月の活性汚泥濃度目標値を入力するようになっている。図２は、上記パソコンのディスプレー上の入力画面を示している。この図では、水温の最も高くなる月を８月としてこの月の活性汚泥濃度目標値を３０００mg/lとし、水温の最も低くなる月を２月としてこの月の活性汚泥濃度目標値を４２００mg/lとしている。これらの月データ及びその月に対応した目標値データがスケジュール管理手段９２に入力される。
【００３６】
これらデータが入力されたスケジュール管理手段９２は、これら目標値が設定された各月の間の中間期（３月〜７月、９月〜１月）において活性汚泥濃度を徐々に変化させていくように、この中間期の活性汚泥濃度の目標値を自動演算する。上記各値が入力された場合には、２月から８月に向かって毎月２００mg/lずつ活性汚泥濃度の目標値を下降させていく。逆に、８月から２月に向かって毎月２００mg/lずつ活性汚泥濃度の目標値を上昇させていく。このようにして算出された各月の活性汚泥濃度の目標値をグラフ化して年間スケジュール表示部１０に表示させている。このグラフ表示により管理者の視認性の向上を図ることができる。
【００３７】
また、図２における「目標値」とは、現在の月（図では１０月）の活性汚泥濃度の目標値（演算された目標値：３４００mg/l）を表示したものである。この部分は任意に変更可能である。つまり、コントローラ９には目標値変更手段９３が備えられており、上記パソコンの操作によってこの「目標値」を変更することにより、上記入力された活性汚泥濃度の目標値や、上記スケジュール管理手段９２によって自動演算された活性汚泥濃度の目標値を任意に変更することができるようになっている。
【００３８】
以上のようにして、任意の月（２月と８月）の活性汚泥濃度の目標値を入力すると共に、その間の中間月の活性汚泥濃度の目標値が自動演算されて成る年間スケジュールに基づいて上記汚泥濃度制御手段９１の駆動による生物反応槽３内の活性汚泥濃度の管理が行われる。つまり、上記濃度センサ３２によって生物反応槽３の内部の活性汚泥濃度をモニタしながら、生物反応槽３内の活性汚泥濃度を低下させる必要が生じた場合には、生物反応槽３内の活性汚泥を沈殿槽４を経て汚泥濃縮槽６に引き抜いたり、汚泥引抜通路３３を利用して生物反応槽３内の活性汚泥を汚泥濃縮槽６に引き抜いたりする。逆に、生物反応槽３内の活性汚泥濃度を上昇させる必要が生じた場合には、余剰汚泥バルブ８２ａ及び引抜量調整バルブ３５の閉鎖状態を維持して生物反応槽３内において活性汚泥を自然繁殖させる。以上により、上記汚泥濃度制御手段９１、スケジュール管理手段９２、目標値変更手段９３、返送汚泥ポンプ８、余剰汚泥バルブ８２ａによって、本発明でいう汚泥濃度制御装置が構成されている。
【００３９】
図３は、本形態における生物反応槽３内の活性汚泥濃度の変化の状態を示すグラフである。この図に示すように、生物反応槽３内の活性汚泥濃度の急激な変化を生じさせることなしに、上記入力された各月における活性汚泥濃度の目標値を達成することができるようになっている。
【００４０】
尚、このグラフの特徴として、活性汚泥濃度が上昇していく状況（８月から２月に向かう期間）では、生物反応槽３内で活性汚泥が自然繁殖するため、期間の経過と活性汚泥濃度とは略比例関係にある。尚、この場合、活性汚泥の自然繁殖が進み過ぎて活性汚泥濃度が目標値を越えた場合には、余剰汚泥バルブ８２ａや引抜量調整バルブ３５を開放するなどして、生物反応槽３内の活性汚泥を汚泥濃縮槽６に引き抜き、活性汚泥濃度が目標値に一致するように調整されている。一方、活性汚泥濃度が下降していく状況（２月から８月に向かう期間）では、余剰汚泥バルブ８２ａや引抜量調整バルブ３５の開放などに伴う活性汚泥の引き抜き動作により、一時的に、活性汚泥濃度が目標値付近まで低下し、その後は、余剰汚泥バルブ８２ａや引抜量調整バルブ３５の開閉制御により、活性汚泥濃度が目標値に維持されるように調整されている。
【００４１】
以上説明したように、本形態では、システム管理者などによって入力された任意の時期における任意の活性汚泥濃度の目標値に従って、生物反応槽３内の活性汚泥濃度の年間スケジュールを決定し、そのスケジュールに沿って活性汚泥濃度の制御を行っている。このため、活性汚泥の栄養不足による自己消化の発生やスカムの発生を回避できると共に、活性汚泥の処理能力を超えた量の汚水量が生物反応槽内に存在するといった状況を回避でき、生物反応槽３内での生物反応処理を効率良く行うことができる。
【００４２】
−その他の実施形態−
上述した実施形態では、季節の変化に応じて活性汚泥濃度の目標値を調整するべく、各月の目標値を設定及び演算していた。本発明は、これに限らず、観光地などに適用される汚水処理システムにおいてオンシーズンとオフシーズンとで汚水流入量が大きく変化する場合に、それに応じて活性汚泥濃度の目標値を調整するようにしてもよい。つまり、例えば、冬期にオンシーズンを迎える観光地において、この冬期に活性汚泥濃度の目標値を高く設定するものである。これにより、水温の低下に伴って活性汚泥の活性が低い状況であっても活性汚泥濃度が高く設定されることによって汚水処理能力は高く維持され、生物反応処理が効率良く行われることになる。即ち、活性汚泥の活性が変化しても汚水処理システムの使用状況に応じた適切な活性汚泥濃度が得られるようにすることによって、生物反応槽３内での生物反応処理を効率良く行うことができる。
【００４３】
また、生物反応槽を複数備えたシステムにおいて、使用する生物反応槽の個数が変化する場合に、それに応じて活性汚泥濃度の目標値を調整するようにしてもよい。つまり、使用する生物反応槽の個数を増加させる場合には、その増加前に活性汚泥濃度の目標値を高く設定しておき、これにより、使用する生物反応槽の個数を増加させたとしても個々の生物反応槽における活性汚泥濃度が十分に確保できるようにしておく。逆に、使用する生物反応槽の個数を減少させる場合には、その減少前に個々の生物反応槽における活性汚泥濃度の目標値を低く設定しておき、これにより、使用する生物反応槽の個数を減少させたとしても生物反応槽における活性汚泥濃度が高くなり過ぎないようにしておく。これによっても、活性汚泥の活性が変化しても汚水処理システムの使用状況に応じた適切な活性汚泥濃度が得られることになり、生物反応槽３内での生物反応処理を効率良く行うことができる。
【００４４】
また、上記実施形態では、活性汚泥濃度の目標値を月毎に設定または演算するようにしていた。本発明はこれに限らず、活性汚泥濃度の目標値を設定または演算する期間は任意である。例えば２ヶ月毎や１週間毎に活性汚泥濃度の目標値を設定または演算するようにしてもよい。また、入力設定する活性汚泥濃度の目標値は上述した２点（２月と８月）に限らず、１点や３点以上であってもよい。更には、活性汚泥濃度の設定目標値や演算目標値は上述した各数値に限るものではない。
【００４５】
加えて、生物反応槽３内の活性汚泥濃度を調整する手法としては沈殿槽４からの汚泥引き抜き量を調整するものに限らず、汚水流入量を制御したり、生物反応槽３の容積を変更するなど種々の手法が採用可能である。
【００４６】
【発明の効果】
以上のように、本発明では、生物反応槽内の活性汚泥濃度を一定に維持するのではなく、環境条件やシステム使用状況に応じて活性汚泥濃度の目標値を変化させ、これによって常に最適な活性汚泥濃度が得られるようにしている。このため、生物反応槽内での生物反応処理を常に効率良く行うことが可能になり、処理水質を良好に維持することが可能な汚水処理動作を実現することができる。
【００４７】
また、活性汚泥濃度の目標値が設定された各時期の間の中間期において活性汚泥濃度を徐々に変化させていくようにしているので、生物反応槽の内部環境を急変させることがなくなる。このため、活性汚泥の汚水処理能力を安定的に維持したまま最適な活性汚泥濃度による汚水処理を実現することができる。
【００４８】
更に、自動演算された中間期の活性汚泥濃度の目標値を、この目標値以外の任意の値に変更可能とした場合には、一旦設定されたスケジュールをシステム管理者などの要求に応じて途中で変更することが可能となり、汚泥濃度制御装置の利便性の向上を図ることができる。
【図面の簡単な説明】
【図１】実施形態に係る汚水処理システムの概略構成を示す図である。
【図２】活性汚泥濃度の目標値を入力する際のパーソナルコンピュータのディスプレー上の入力画面を示す図である。
【図３】実施形態における生物反応槽内の活性汚泥濃度の変化の状態を示す図である。
【符号の説明】
３        生物反応槽
４        沈殿槽
９１      汚泥濃度制御手段
９２      スケジュール管理手段
９３      目標値変更手段
【図１】
0003811635.tif 000002
【図２】
0003811635.tif 000003
【図３】
0003811635.tif 000004